(57)【要約】【課題】  時打ち動作のためのパワーリザーブを監視する機能をもつ時打ち機構を提供すること。【解決手段】  時打ち機構による時打ちを適切に停止させるためのトルク測定装置（１０）は、移動可能なトルク測定レバーであって、時打ち輪（１１）の回転軌道を妨げ得る動作軌道を呈し、時打ち輪（１１）により枢動運動をなし得るようにされたトルク測定レバー（１）を含み、そのトルク測定レバー（１）は、回転中に時打ち輪から受ける駆動力に抗する所定値の抗力を常時受け、駆動力が抗力よりも小さい場合に時打ち輪の回転をブロックし、駆動力が抗力よりも小さくない場合には時打ち輪を回転可能にする。  上記のトルク測定装置（１０）を含む時打ち機構、および、そのような時打ち機構を組み込んだ時計に関する。【選択図】  図１
2011185937.tif 000002
【特許請求の範囲】
【請求項１】
時打ち機構の時打ちを停止させるためのトルク測定装置であって、前記時打ち機構には、再充填可能なエネルギー源と、前記時打ち機構及び／又はそのユーザによって計画された時刻に、前記エネルギー源によって伝達されるエネルギーの一部を用いて少なくとも１つの時打ち輪（１１）を駆動して、少なくとも１つのハンマーを少なくとも１つのゴングに対して作動させることを可能にする時打ち爪（８）とが含まれており、
少なくとも１つの移動可能なトルク測定レバーであって、時打ち輪（１１）の回転軌道を妨げ得る動作軌道を呈し、時打ち輪（１１）により駆動され得るようにされたトルク測定レバー（１）を含み、そのトルク測定レバー（１）は、回転中に時打ち輪から受ける駆動力に抗する所定値の抗力を常時受けており、該駆動力が前記所定値の抗力よりも小さい場合に時打ち輪の回転をブロックし、駆動力が前記抗力よりも小さくない場合には時打ち輪を解放することによって時打ち輪を回転可能にする
ことを特徴とするトルク測定装置。
【請求項２】
抵抗トルクが、前記トルク測定レバー（１）の経路（１Ｂ）における摩擦により加えられることを特徴とする、請求項１に記載のトルク測定装置。
【請求項３】
抵抗トルクが、前記トルク測定レバー（１）の枢動運動（１４）において加えられることを特徴とする、請求項１に記載のトルク測定装置。
【請求項４】
前記抗力は、支持ばね（７）の脚部（７Ａ）によって前記トルク測定レバー（１）に加えられることを特徴とする、請求項１から請求項３までのいずれかに記載のトルク測定装置。
【請求項５】
前記支持ばね（７）は、Ｕ字形の２つの分岐部間に内部に含まれるループ（７Ｃ）において枢動運動可能に取り付けられたＵ形支持ばねであり、一方の前記分岐部（７Ａ）が前記トルク測定レバー（１）と協働し、他方の前記分岐（７Ｂ）が調整可能な較正手段又は偏心ねじ（６）と協働することを特徴とする、請求項４に記載のトルク測定装置。
【請求項６】
前記トルク測定レバー（１）は、該レバーが協働する前記時打ち輪（１１）との単一の協働面を含むことを特徴とする、前記請求項のいずれかに記載のトルク測定装置。
【請求項７】
前記トルク測定レバー（１）は、前記時打ち爪（８）と組み合わされることを特徴とする、前記請求項のいずれかに記載のトルク測定装置。
【請求項８】
前記所定値の抗力は、完全な時打ちシーケンスを実行するのに必要な駆動力値が等しく且つ反対の方向を有することを特徴とする、前記請求項のいずれかに記載のトルク測定装置。
【請求項９】
前記トルク測定レバー（１）は、前記時打ち輪（１１）の領域外で且つ前記時打ち輪（１１）の軸真（１１Ａ）と平行に位置付けられた軸真（１Ｃ）上に枢動運動可能に取り付けられることを特徴とする、前記請求項のいずれかに記載のトルク測定装置。
【請求項１０】
前記トルク測定レバー（１）は並進移動可能に取り付けられることを特徴とする、前記請求項のいずれかに記載のトルク測定装置。
【請求項１１】
前記トルク測定レバー（１）は、複数の異なるゴングを共振させるために前記時打ち輪（１１）内に含まれるカム経路の数と同じ数の段を有することを特徴とする、前記請求項のいずれかに記載のトルク測定装置。
【請求項１２】
前記トルク測定レバー（１）は、ユーザが読むことができるインジケータに連結され、前記インジケータは、前記時打ち輪（１１）を駆動する時打ち機構のエネルギー源を再充填する必要性を警告することを特徴とする、前記請求項のいずれかに記載のトルク測定装置。
【請求項１３】
前記トルク測定レバー（１）は、トルク測定輪であることを特徴とする、前記請求項のいずれかに記載のトルク測定装置。
【請求項１４】
再充填可能なエネルギー源と、時打ち機構及び／又はそのユーザによって計画された時刻に前記エネルギー源によって伝達される前記エネルギーの一部を用いて少なくとも１つの時打ち輪（１１）を駆動して、少なくとも１つのハンマーを少なくとも１つのゴングに対して作動させることを可能にする時打ち爪（８）と、を含む時打ち機構であって、
前記時打ち機構が、請求項１から請求項１３までのいずれかに記載の少なくとも１つの移動可能なトルク測定レバー（１）を含むことを特徴とする時打ち機構。
【請求項１５】
請求項１４に記載の少なくとも１つの時打ち機構を含む時計。
【発明の詳細な説明】
【技術分野】
【０００１】
本発明は、再充填可能なエネルギー源と、時打ち機構及び／又はそのユーザによって計画された時刻に、エネルギー源によって伝達されるエネルギーの一部を用いて少なくとも１つの時打ち輪を駆動して、少なくとも１つのハンマーを少なくとも１つのゴングに対して作動させることを可能にする時打ち爪とを含む時打ち機構の時打ちを停止させるためのトルク測定装置に関する。
【０００２】
本発明はまた、再充填可能なエネルギー源と、時打ち機構及び／又はそのユーザによって計画された時刻に、エネルギー源によって伝達されるエネルギーの一部を用いて少なくとも１つの時打ち輪を駆動し、少なくとも１つのゴングを共振させることを可能にする時打ち爪と、少なくとも１つのこうしたトルク測定装置とを含む、時打ち機構に関する。
本発明はまた、少なくとも１つのこうした時打ち機構を含む時計に関する。
本発明は、時計の時打ち機構の分野に関する。
【背景技術】
【０００３】
自動時打ち装置において繰り返し発生する問題は、時打ち香箱が時打ちシーケンス全体を実行するのに必要なトルクを伝達しない場合に、時打ちが完全には実行されず、又は、正確な時間に解除されないことであり、これはより深刻な問題である。
この繰り返し発生する問題に対して、実際的な解決法はこれまで見つかっていない。
【０００４】
特にリピーター時計又はグランドストライク時計のような「複雑な」時計の分野においては、改善された時打ち機構を有する時計は、以前から知られている。複雑な時計の分野における最新技術のより良い理解のために、特に、時打ち機構が取り付けられた時計に関する複数の章（ページ９７−２０５）を含む次の文献を参照することができる（Ｆｒａｎｃｏｉｓ  Ｌｅｃｏｕｌｔｒｅ著、「Ｌｅｓ  ｍｏｎｔｒｅｓ  ｃｏｍｐｌｉｑｕｅｅｓ」（Ｃｏｍｐｌｉｃａｔｅｄ  Ｗａｔｃｈ）（ＩＳＢＮ、２−８８１７５−０００−１），ｐｐ９７−２０５）。
【０００５】
時打ち機構の分野において、時間設定中に時打ち動作をさせないようにする装置は、例えば、Ｊｏｈｎ  Ｍｅｙｌａｎ氏の、アイソレータ装置を開示するスイス国特許第１４，９７９号から、又は、Ｄａｎｉｅｌ  Ｒｏｔｈ及びＧｅｒａｌｄ  Ｇｅｎｔａ  Ｈａｕｔｅ  Ｈｏｒｌｏｇｅｒｉｅ  ＳＡの、時打ち機構の特定の可動部品がアイドル位置又は休止位置から離れるとすぐにロッキングバーをロックするための手段を含む欧州特許第１４２９２１４Ｂ１号から周知である。
【０００６】
Ｃｈｒｉｓｔｏｐｈｅ  Ｃｌａｒｅｔ  ＳＡの欧州特許第１９２５９９７号は、時打ち駆動装置によってラックを駆動するための、エネルギー源を有する時打ち機構を開示する。時打ち駆動装置は、歯車列内に配置され、エネルギー源を調速部材に接続する。時打ち駆動装置は、歯車列内に配置され、制御部材によって作動される。ラックは、スネイルと協働して、現在時間についての情報を取り出す。制御部材は、接続要素及び駆動輪の組を介して、駆動装置と協働するカムシャフトであり、時打ち動作が解放されると、カムシャフトが枢動運動される。
【０００７】
このカムシャフトの枢動運動は、ボルトによってブロックされ、香箱でのパワーリザーブの所定の限度閾値を特徴とする、カムと協働するばね荷重式フィーラーピンが取り付けられたレバーによって制御される。
【０００８】
Ｚｅｎｉｔｈ  Ｉｎｔｅｒｎａｔｉｏｎａｌ  ＳＡの欧州特許第１７０８０５０号は、香箱でのパワーリザーブに相当する持続時間に１回転を完了する歯車列を含む時打ち機構を開示する。この歯車列は、その軸真上にカムを支持し、香箱のパワーリザーブがミニッツリピータサイクル全体を完了するのに不十分である場合には、プッシュボタンによって作動されるレバーのフィンガーピースと交差し、狼歯を有する輪のロッキング・レバーと協働して、香箱を巻き上げられた位置に保持するように配置される。
【０００９】
Ｊｕｎｇｈａｎｓ  Ｇｅｂ  ＡＧの英国特許第３６１２３２号は、香箱が所定の値まで巻き戻されたときに、時打ち機構をロックするための、サイクル的に巻き上げられる電気駆動ばねの巻き戻しに連結された留めねじ機構を開示する。
【００１０】
Ｍｏｎｔｒｅｓ  Ｊｏｕｒｎｅ  ＳＡの欧州特許第１７６０５４５号は、連結レバーを外して、時打ちラックを解除し、各々が適切なカムから情報を取り出すのを可能にすることを必要とする、時打ち動作の解放を開示する。ロッキング・システムは、香箱のパワーリザーブが所与の閾値より低い場合、この連結レバーが外されるのを防ぐ。
【００１１】
しかしながら、時打ち香箱のポテンシャル、すなわち、時打ち動作のパワーリザーブを監視する機能を備えた既知の装置は市販されていない。
【先行技術文献】
【特許文献】
【００１２】
【特許文献１】スイス国特許第１４，９７９号
【特許文献２】欧州特許第１４２９２１４  Ｂ１号
【特許文献３】欧州特許第１９２５９９７号
【特許文献４】欧州特許第１７０８０５０号
【特許文献５】英国特許第３６１２３２号
【特許文献６】欧州特許第１７６０５４５号
【非特許文献】
【００１３】
【非特許文献１】Ｆｒａｎｃｏｉｓ  Ｌｅｃｏｕｌｔｒｅ著、「Ｌｅｓ  ｍｏｎｔｒｅｓ  ｃｏｍｐｌｉｑｕｅｅｓ」（Ｃｏｍｐｌｉｃａｔｅｄ  Ｗａｔｃｈ）（ＩＳＢＮ、２−８８１７５−０００−１）、ｐｐ９７−２０５
【発明の概要】
【発明が解決しようとする課題】
【００１４】
本発明は、時打ち動作のパワーリザーブを恒久的に監視し、時打ち機構の駆動ポテンシャルが適切な動作に対して不十分であるときは、直ちに時打ち動作をロックすることによって、理論的な位置に対して不完全な又は位相外れの時打ちシーケンスの問題を克服することを提案する。
【課題を解決するための手段】
【００１５】
従って、本発明は、時打ち機構の時打ちを停止させるためのトルク測定装置に関する。該時打ち機構が、再充填可能なエネルギー源と、時打ち機構及び／又はそのユーザによって計画された時刻にエネルギー源によって伝達されるエネルギーの一部を用いて少なくとも１つの時打ち輪を駆動して、少なくとも１つのハンマーを少なくとも１つのゴングに対して作動させることを可能にする時打ち爪と、を備える。そしてトルク測定装置は、少なくとも１つの移動可能なトルク測定レバーであって、時打ち輪の回転軌道を妨げ得る動作軌道を呈し、時打ち輪により駆動され得るようにされたトルク測定レバーを含み、そのトルク測定レバーは、回転中に時打ち輪から受ける駆動力に抗する所定値の抗力を常時受けており、該駆動力が前記所定値の抗力よりも小さい場合に時打ち輪の回転をブロックし、駆動力が前記抗力よりも小さくない場合には時打ち輪を解放することによって時打ち輪を回転可能にすることを特徴とする。
【００１６】
本発明の特徴によれば、抗力はアーム支持ばねによってトルク測定レバーに加えられる。
【００１７】
本発明はまた、再充填可能なエネルギー源と、時打ち機構及び／又はそのユーザによって計画された時刻にエネルギー源によって伝達されるエネルギーの一部を用いて少なくとも１つの時打ち輪を駆動して、少なくとも１つのハンマーを少なくとも１つのゴングに対して作動させることを可能にする時打ち爪と、少なくとも１つのこうしたトルク測定装置とを含む時打ち機構に関する。
【００１８】
本発明はまた、少なくとも１つのこうした時打ち機構を含む時計にも関する。
【００１９】
本発明は、計画された時刻に時打ちシーケンスを全体的に適切に行なうことを可能にすること、又は、時打ち機構が再度巻き上げられるまで時打ち機構をロックすることを可能にする利点を有する。
【００２０】
本発明の他の特徴及び利点は、本発明による補正機構の例示的な実施形態の以下の詳細な説明からより明らかとなり、この実施例は、添付図面を参照した非限定的な例示として与えられるにすぎない。
【図面の簡単な説明】
【００２１】
【図１】第１の好ましい実施形態における、本発明によるトルク測定装置を含む時計の時打ち機構の概略部分平面図である。
【図２】本発明によるトルク測定装置が時打ち輪の回転を停止させている所定位置における本発明の第２の実施形態に関する図１と同様の図である。
【図３】本発明によるトルク測定装置が時打ち輪の継続的な回転を可能にしている所定位置における本発明の第２の実施形態に関する図２の機構の図である。
【発明を実施するための形態】
【００２２】
本発明は、時計の時打ち機構の分野に関する。
【００２３】
本発明は、時打ち機構の時打ちを停止させるためのトルク測定装置１０に関する。この時打ち機構は、従来の方式で、少なくとも単一の時打ち輪１１又は複数の時打ち輪を駆動するよう意図されている、時打ちばね、コイル等のような少なくとも１つの再充填可能なエネルギー源、又は１組の錘等を含む。エネルギー源が機械式、電気式、又は他のタイプのものであるかに関係なく、本発明の目的は、エネルギー源によって与えられる駆動力が不十分である場合に、時打ち機構が適切に動作するのに十分なエネルギー・レベルまでエネルギー源が再充填されるまで、時打ちサイクルが不適切に継続するのを防ぐことである。時打ち輪１１は、各々の時打ちゴングが動作されるカム経路を含む。本明細書において、本発明は、時打ち動作のためにばねを用いる機械的エネルギー源を有する時計への特定の適用において説明される。本発明は、エネルギー源が、錘、又は電気エネルギー源、油圧式エネルギー源、若しくは他のエネルギー源によって形成される置時計にも等しく適用できることは明らかであり、これらの特定の適用については具体的に説明されない。
【００２４】
時打ち機構は、該機構及び／又はそのユーザによって計画された時刻に、エネルギー源によって伝達されるエネルギーの一部を用いて少なくとも１つの時打ち輪１１を駆動して、少なくとも１つのハンマーを少なくとも１つのゴング１３に対して作動させ、ゴングを共振させることができる時打ち爪８を含む。時打ち爪８は、時打ち輪１１の軌道を妨げる軌道を有し、時計ムーブメントによって計画された又はアラームの場合にはユーザによって計画された時刻以外は、いかなる時間においても時打ち輪１１が回転するのを防止し、この計画された時刻は、以下で「的確な時刻」とも呼ばれる。この計画された時刻において、時打ち爪８が時打ち輪１１を解放し、該時打ち輪１１が回転可能にする。この時打ち爪８は、図で分かるようなトリガ歯９、又は枢動部、輪、或いは他の要素によって形成することができる停止部材を含む。２つのゴング１３及び１３Ａを有する時打ち機構の例を示す図１において、時打ち爪は、２つの時打ち爪石２及び３を有し、トリガ・フィンガーピース９を形成する。時打ち爪石２及び３に起因して、時打ち爪８は、例えば図１の場合は、１回転の１／６、すなわち、時打ち輪１１の６０°の角度セクタである時打ちサイクルの間、時打ち輪を解放することは明らかである。時打ち爪８は、時打ち輪に対して半径方向に移動する、又は時打ち輪を妨げる円形の移動を行なう、又は類似の少なくとも１つの歯９を含むことが好ましい。
【００２５】
好ましくは歯１２によって形成される、時打ち輪１１のカムの経路の各々は、動作しなければならないゴング１３、１３Ａにそれぞれ対応する、図１の例におけるハンマーレバー４、４Ａと協働する。このハンマーレバー４、４Ａは、弾性戻り手段、特にばねによって、アイドル位置に向けて戻る。時打ち輪１１が、時打ち爪８によって回転できるようになると、時打ち輪１１の歯１２のうちの１つが、ハンマーレバー４、４ａの歯と協働し、時打ちばねによって与えられるエネルギーの一部を該ハンマーレバーに伝達し、これを戻り位置から移動させ、次いで再び落下させて、ゴング１３、１３Ａに対する時打ちを可能にする。
【００２６】
本発明は、時打ちシーケンスの後、腕時計及び置時計用の時打ち主ぜんまいと、時計用の錘とを含む、時打ち動作のためのエネルギーを与える機構内に残存するトルクを確認することから構成される全体としての発明の概念から生じたものである。
【００２７】
測定された残存トルクが、次の時打ちシーケンスを適切に行ない得るほど十分である場合、進行中の時打ちシーケンスは、正常に終了することが可能であり、該時打ち機構は、次の時打ちシーケンスのための位置に戻る。十分ではない場合、時打ち動作はロックされ、解放することができない。
【００２８】
本発明によると、時打ち機構の時打ちを停止させるためのトルク測定装置１０は、少なくとも１つの移動可能なトルク測定レバー１を含み、該トルク測定レバーの軌道は、少なくとも間接的に時打ち輪１１の軌道を妨げ、該トルク測定レバーは、該時打ち輪によって枢動運動されるように配置される。このトルク測定レバー１は、回転中に時打ち輪１１によってトルク測定レバー１にかかる駆動力に抗する所定値の抗力を恒久的に受ける。駆動力が所定値の抗力よりも小さい場合には、トルク測定レバー１は、時打ち輪１１の回転をブロックし、そうでない場合には、該輪を解放することにより時打ち輪１１が回転できるようにする。
【００２９】
本発明によるトルク測定レバー１は、この所定値の抗力を依然として受けている場合、並びに時打ち輪１１をロックする少なくとも１つの位置及び時打ち輪の回転を可能にする少なくとも１つの解放位置をとることができる場合、図示の好ましい実施形態による枢動運動、曲げ、並進、又はいずれかの組み合わせた動きによるなど、様々な方法で移動可能とすることができる。
【００３０】
自動時打ちの後、すなわち、時打ち輪１１の１つの歯１２がハンマーレバー４、４Ａと協働してゴング１３、１３Ａを共振させた後、時打ち輪１１は、トルク測定レバー１と接触する。トルク測定レバー１は、所定値の抗力トルクを及ぼすことができる抵抗トルクの作用を受ける。この抵抗トルクは、トルク測定レバー１に作用するばね７によって与えられることが好ましい。トルク測定レバー１は、好ましくは、枢動運動可能に取り付けられ、図から分かるように、トルク測定輪の形態をとることができる。トルク測定レバー１は、枢動部又は類似の要素によって形成することもできる。トルク測定レバー１への抗力の伝達は、図１から分かるように枢動（ピボット）を介して、又は図２及び図３から分かるようにトルク測定レバーの経路１Ｂにおける摩擦により行なうことができる。本発明の技術的思想から逸脱することなく、他のトルク測定レバー１及び抗力を加える他の手段も想定できる。従って、トルク測定レバー１は、その回転中に時打ち輪１１によって加わる駆動力に抗する所定値の抗力を恒久的に受ける。
【００３１】
時打ち輪１１の駆動力が、トルク測定レバー１を進ませるのに十分である場合、これは、将来の時打ちのために十分なトルクがあることを意味し、時打ち輪１は、時打ち爪８を含む解放システムに向かってその経路を引き続き進み、次の時打ちの解放を待機する。
【００３２】
駆動力がトルク測定レバー１を進ませるのに不十分である場合には、時打ち輪１１がロックされ、将来の解放は動作不能となる。
【００３３】
衝撃を受けた場合、トルク測定レバー１がその衝撃によって時打ち輪１１を解放しても時打ちは行なわれない。時打ち輪がトリガ点まで進むと、的確な時刻に適切に時打ちする。
【００３４】
時打ち機構が巻き上げられると、エネルギー源のトルク貯留量が回復し、トルク測定レバー１は、時打ち輪１１を解放する。時打ちが行なわれない場合には、時打ち輪１１はトリガ点まで進み、次の的確な時刻に時打ちすることになる。
【００３５】
有利には、トルク測定レバー１に加わる抗力は調整可能である。ばね７の場合、調整可能な較正手段、又は図で分かるような偏心ねじ６等によって較正が容易に調整される。
【００３６】
時打ち爪８により時打ち輪１１の時打ちが可能になる時打ちシーケンスが生じている間、該時打ち輪の歯１２の各々が、連続的にトルク測定レバー１に当接する。
【００３７】
時打ちシーケンスの終了時に、時打ち輪１１の駆動ばねに残存するトルクが次の時打ちシーケンスを全体的に行なうのに十分である場合には、時打ち輪１１の歯１２は、トルク測定レバー１の抵抗に打ち勝ち、時打ち爪８のトリガ・フィンガーピース９上にロックされるまで、すなわち時打ち輪１１の別の歯１２が時打ち爪８に当接したときにトルク測定レバー１から逃れる。次いで、時打ち機構は時打ちサイクルの継続を可能にする。
【００３８】
他方、時打ち輪１１の駆動ばねのトルク貯留量が、トルク測定輪又はレバー１を停止させるには不十分である場合、トルク測定レバー１は、特に時打ちばねが巻き上げられることによってトルクが十分になるまで、時打ち輪１１を所定位置にロックする。
【００３９】
時打ちサイクルが時打ち輪１１の６０°の角度セクタにわたって行なわれる、図１の例に戻ると、２つの重なった輪の各々における３つの歯から結果として生じる２回の３点鐘である実際の時打ちは、例えば５０°といったこの角度セクタの部分においてのみ生じる。ここでは１０°である残りの部分は、レバー１によるトルク測定のためのものであり、残存する駆動トルクが、次の時打ちシーケンス全体の適切な実行のために十分である、すなわち、ここではばね７からの抗力によってレバー１に加わるトルクよりも大きい場合には、時打ちサイクルは、時打ち爪石２上で終了することができる。反対に、駆動トルクが不十分である場合には、システムは、その歯を介してレバー１上で一時的に停止を維持し、巻き上げ又はエネルギー源の再充填を待機する。このシステムの利点は、時打ちサイクルの終了時に該システムが適切な位置をとりアクティブであることである。衝撃を受けた場合には、時打ち輪１１のシステムは解放され、ハンマーに何ら作用せずに時打ち爪石２に当接することになる。代替の実施形態において、トルク測定レバー１は段が付けられ、各段は、レバーが協働する時打ち輪１１又は様々な時打ち輪のカム経路に対応する。
【００４０】
図１に示す好ましい実施形態において、支持ばね７の脚部によって抗力がトルク測定レバーに加えられる。支持ばねは、Ｕ字形の２つの分岐部間の内部に含まれるループ７Ｃにおいて枢動運動可能に取り付けられたＵ形支持ばねであることが好ましい。一方の分岐部７Ａはトルク測定レバー１と協働し、他方の分岐部７Ｂは、調整較正手段又は偏心ねじ６と協働する。
【００４１】
ばね７の２つの分岐部の剛性は、異なることが好ましい。レバー１上の当接点には大きなビームがあり、調整カム６には遙かに薄い分岐部がある。実際には、ばねは、例えば図１の例においては２５０ｇ／ｍｍといった、ほぼ最大時打ちトルクになるように十分に強いものでなければならず、従って、例えば１８時間の機構における１５時間目の後に時打ちを停止させたいときには、ばねは、駆動トルクが減少したときに反応することができる。
【００４２】
別の変形形態において、トルク測定レバー１は、ばね、とりわけ前述のタイプのばねの部分によって、特に端部によって直接形成される。この特定の事例では、トルク測定レバー１は、正反対の駆動トルク及び抵抗トルクの影響を受けて枢動運動によっては移動可能ではないが、曲げによって移動することができる。
【００４３】
特定の変形形態において、トルク測定レバー１は、時打ち輪が複数のカム経路を有する場合でも該レバーが協働する時打ち輪１１との単一の協働面を含む。
【００４４】
有利な実施形態において、トルク測定レバー１は、時打ち爪８と組み合わせてこれにより支持される。
【００４５】
好ましくは、所定値の抗力は、完全な時打ちシーケンスを実行するのに必要な駆動力に等しい値で較正され、この駆動力と反対方向である。
【００４６】
トルク測定レバー１は、時打ち輪１１の領域外で且つ時打ち輪１１の軸真１１Ａと平行に位置付けられた軸真１Ｃ上に枢動運動可能に取り付けられることが好ましい。
【００４７】
有利には、トルク測定レバー１は、ユーザが読むことができるインジケータに連結され、このインジケータは、時打ち輪を駆動する時打ち機構のエネルギー源を再充填する必要性を警告する。このインジケータは、特に、レバー１を用いて直接的又は間接的に手動形成するか、或いは、時打ち機構のエネルギー源のレベルが十分か又は不十分であるかを示す、オールオアナッシング（ａｌｌ  ｏｒ  ｎｏｔｈｉｎｇ）表示によって形成することができる。
【００４８】
図から分かるように、トルク測定レバー１はトルク測定輪であることが好ましい。
【００４９】
本発明はさらに、再充填可能なエネルギー源と、時打ち機構及び／又はそのユーザによって計画された時刻にエネルギー源によって伝達されるエネルギーの一部を用いて少なくとも１つの時打ち輪１１を駆動して少なくとも１つのゴング１３を共振させることを可能にする時打ち爪８と、少なくとも１つのこうしたトルク測定装置１０とを含む、時打ち機構に関する。
【００５０】
本発明はまた、少なくとも１つのこうした時打ち機構を含む時計に関する。
【符号の説明】
【００５１】
１  トルク測定レバー；  ２、３  時打ち爪石；  ４、４Ａ  ハンマーレバー；  
６  偏心ねじ；  ７  ばね；  ７Ａ、７Ｂ  分岐部；  ７Ｃ  ループ；  
８  時打ち爪；  ９  トリガ・フィンガーピース；  １０  トルク測定装置；  
１１  時打ち輪；  １２  歯；  １３、１３Ａ  ゴング。
【図１】
2011185937.tif 000003
【図２】
2011185937.tif 000004
【図３】
2011185937.tif 000005